(57)【特許請求の範囲】
【請求項１】
固定部材に取り付ける固定側掛合機構と開閉部材に取り付ける開閉側掛合機構とを開閉部材を閉じて掛合させるとともに、開閉側掛合機構をキー操作することによって固定側掛合機構と開閉側掛合機構との掛合を外すようにした錠前装置において、固定側掛合機構は、ラッチ鈎と第１の制御鈎とを有しラッチ姿勢又は非ラッチ姿勢をとるラッチ部材と、第１と第２の制御爪を有し第１の制御爪と第１の制御鈎とを介してラッチ部材をラッチ姿勢に拘束し又は非ラッチ姿勢に開放する制御アームを備え、一方、開閉側掛合機構は、キー操作によって前進動作又は後退動作をするとともに常時前進方向に付勢されたラッチ爪と、制御アームの第２の制御爪に対応する第２の制御鈎を備えてなり、固定側掛合機構と開閉側掛合機構とは、開閉部材を閉じたときにラッチ鈎とラッチ爪とが互いに掛合すると同時に、第２の制御爪と第２の制御鈎とが互いに掛合するとともに、キー操作によってラッチ爪を後退動作させた上、開閉部材を開くことによって、第２の制御鈎が制御アームの第２の制御爪を駆動してラッチ部材を非ラッチ姿勢に開放することを特徴とする錠前装置。
【請求項２】
ラッチ部材は、手動操作によってラッチ姿勢又は非ラッチ姿勢を実現する操作アームを備え、制御アームは、ラッチ部材に連動してラッチ部材を拘束又は開放することを特徴とする請求項１に記載の錠前装置。
【請求項３】
前面に開口部を形成したキャビネットと、開口部に取り付ける片開きの扉板とを備え、扉板の開閉側の裏面に請求項１又は請求項２に記載の錠前装置の開閉側掛合機構を取り付けるとともに、対応するキャビネットの内側に請求項１又は請求項２に記載の錠前装置の固定側掛合機構を取り付けたことを特徴とする戸建て住宅用の宅配ボックス。
【発明の詳細な説明】
【０００１】
【発明の属する技術分野】
本発明は、キー操作によって開閉する方式の錠前装置と、その錠前装置を用いた戸建て住宅用の宅配ボックスに関する。
【０００２】
【従来の技術】
宅配事業の普及拡大に伴い、様々な荷物が宅配手段によって流通するようになり、マンション等の集合住宅においては、宅配ボックスと称する無人の荷物受発送装置が備え置かれるようになっている。宅配ボックスは、大型のキャビネットの内部を縦横に仕切って個室を形成し、これを個々の利用者の利用に供するものであるが、通常、個室の数は、マンション等の戸数より少なく、したがって、個々の個室は、利用者が特定しているのではなく、必用に応じて共同利用される利用形態である。
【０００３】
共同利用という利用形態における宅配ボックスの錠前装置には、荷物の名宛人において開錠可能であって、かつ、名宛人以外の者が開錠することができないという機能が要求される。そして、このような要求は、例えば、シリンダ錠前のように、特定のキー穴とこのキー穴に対応するキーとの符号によって開錠操作する機械的な錠前装置では実現することができない。そこで、従来、宅配ボックスには、電子錠が利用されている。
【０００４】
宅配ボックス利用される電子錠は、一般に、電源部と、メモリ機能とロジックシーケンス制御を担当する制御部と、制御部に対する入出力部とからなり、電源部及び制御部は、個室の一室を利用して宅配ボックスに内臓されている。制御部に対する入力には、部屋番号や暗証番号等が利用され、出力は、個室の扉板のロックを機械的に外す電磁ソレノイドに対する開錠信号である。
【０００５】
ところで、宅配ボックスの必要性は、各種の無店舗通信販売形態の普及と、家が留守となる蓋然性が高い核家族化等の進行によって、集合住宅に限るものではなくなってきている。一般の戸建て住宅においては、集合住宅用の宅配ボックスのように多数の個室を有する大型の宅配ボックスの必用はなく、２室程度の小型のもので十分実用になる。しかし、盗難や事故等に対する安全性については、大型の宅配ボックスと同様に十分に確保される必要がある。
【０００６】
【発明が解決しようとする課題】
ただし、従来の宅配ボックスの電子錠を戸建て住宅用の小型の宅配ボックスに適用しようとする場合、制御部等が個室の一室を占有するので、宅配ボックス全容量に対して実際に利用することができる容量の割合が小さくなってしまうとともに、宅配ボックス全体の価格に占める電子錠の価格の割合が過大となるので、事実上、電子錠の使用は困難であった。また、宅配ボックスの扉板及びキャビネットは、住居のドアのような十分な厚みを有しないので、既成のシリンダ錠前等を組み込むことも困難であった。なお、宅配ボックス用の錠前装置については、子供の閉じ込め事故等を防止する観点から、安易に施錠状態となることなく、又、施錠状態となった場合であっても、内部側からはキー操作を要することなく極めて容易に扉板を開くことができるものであることが要求されるが、これらの諸要求を低価格で満足させる錠前装置は、従来提供されていない現状である。
【０００７】
そこで本発明の目的は、従来の電子錠に変え、宅配ボックスのような薄板構造物に対して取り付け可能であって、取り付けたときの占有容量が少なく、かつ、こじ開け事故等にも対しても十分な堅牢性を発揮できる錠前装置及びその錠前装置を用いた戸建て住宅用の宅配ボックスを提供することにある。また、錠前装置については、不用意に施錠状態となることなく、又、施錠状態となった場合であっても、内部側からはキー操作を要することなく扉板を開くことができるようにすることを目的とする。
【０００８】
【課題を解決するための手段】
この目的を達成するための本発明の請求項１
に記載の錠前装置は、固定部材に取り付ける固定側掛合機構と開閉部材に取り付ける開閉側掛合機構とを開閉部材を閉じて掛合させるとともに、開閉側掛合機構をキー操作することによって固定側掛合機構と開閉側掛合機構との掛合を外すようにした錠前装置において、固定側掛合機構は、ラッチ鈎と第１の制御鈎とを有しラッチ姿勢又は非ラッチ姿勢をとるラッチ部材と、第１と第２の制御爪を有し第１の制御爪と第１の制御鈎とを介してラッチ部材をラッチ姿勢に拘束し又は非ラッチ姿勢に開放する制御アームを備える一方、開閉側掛合機構は、キー操作によって前進動作又は後退動作をするとともに常時前進方向に付勢されたラッチ爪と、制御アームの第２の制御爪に対応する第２の制御鈎を備えてなり、そして、固定側掛合機構と開閉側掛合機構とは、開閉部材を閉じたときにラッチ鈎とラッチ爪とが互いに掛合すると同時に、第２の制御爪と第２の制御鈎とが互いに掛合し、又、キー操作によってラッチ爪を後退動作させた上、開閉部材を開くことによって、第２の制御鈎が制御アームの第２の制御爪を駆動してラッチ部材を非ラッチ姿勢に開放することを特徴とする。
【０００９】
本発明によれば、固定側掛合機構は、固定部材に取り付けられ、又、開閉側掛合機構は、開閉部材に取り付けられており、固定側掛合機構のラッチ部材のラッチ鈎と開閉側掛合機構のラッチ爪とは、開閉部材を閉じる操作によって互いに掛合する。この際、制御アームは、第１の制御爪と第１の制御鈎とを介してラッチ部材をラッチ姿勢に拘束するので、メインラッチ部材が非ラッチ姿勢をとるように逃げることを防止する。また、制御アームは、同時に第２の制御爪を介して開閉側掛合機構の第２の制御鈎に掛合する。そこで固定側掛合機構と開閉側掛合機構とは、ラッチ鈎とラッチ爪との掛合、及び、第２の制御爪と第２の制御鈎との掛合による施錠状態を実現することができる。一方、開閉側掛合機構からのキー操作によってラッチ爪を後退動作させるとラッチ鈎とラッチ爪との掛合が外れ、開閉部材を開くことができる状態となる。ここで、開閉部材を開くと開閉側掛合機構の第２の制御鈎が第２の制御爪を介して制御アームを駆動し、この結果、制御アームに設けられた第１の制御爪も駆動される。そこで、第１の制御爪は、拘束していたラッチ部材を非ラッチ姿勢に開放する。したがって、一旦開いた開閉部材は、再び開閉部材を閉じる操作をしたとしてもラッチ部材を意識的にラッチ姿勢に回復させない限りは施錠されない。
【００１０】
本発明の請求項２に記載の錠前装置は、ラッチ部材が、手動操作によってラッチ姿勢又は非ラッチ姿勢を実現する操作アームを備え、制御アームは、ラッチ部材に連動してラッチ部材を拘束又は開放することを特徴とする。
【００１１】
この発明によれば、操作アームを介してラッチ部材をラッチ姿勢とする向きに手動操作すると、制御アームもメインラッチ部材に連動するので、制御アームは、ラッチ部材がラッチ姿勢をとるように駆動された場合には、ラッチ部材をラッチ姿勢に拘束し、又、ラッチ部材が非ラッチ姿勢をとるように駆動された場合においては、ラッチ部材を拘束することなく開放することができる。
【００１２】
本発明の請求項３に記載の戸建て住宅用の宅配ボックスは、前面に開口部を形成したキャビネットと、開口部に取り付ける片開きの扉板とを備え、扉板の開閉側の裏面に請求項１又は請求項２に記載の錠前装置の開閉側掛合機構を取り付けるとともに、対応するキャビネットの内側に請求項１又は請求項２に記載の錠前装置の固定側掛合機構を取り付けたことを特徴とする。
【００１３】
この発明によれば、開閉部材である扉板を開いた時点で開閉側掛合機構の第２の制御鈎が固定部材であるキャビネットに取り付けられた固定側掛合機構の制御アーム駆動し、この結果、制御アームの第１の制御爪に拘束されていたラッチ部材が非ラッチ姿勢をとり、この状態では、扉板を閉じても錠前装置が施錠状態とならないので、不用意な閉じ込め事故等が阻止され、例えば、子供が閉じ込められような事態は生じない。また、錠前装置の固定側掛合機構が、操作アームを備えるものである場合には、施錠状態においてラッチ姿勢を採っているラッチ部材を操作アームを手動操作することによって非ラッチ姿勢とすることができるので、扉板は、宅配ボックスの内側から開くことができる。したがって、子供が閉じ込められような事態は生じなくなってはいるが、ラッチ部材を故意にラッチ姿勢にさせる等の何らかの理由で閉じ込められても、ラッチ部材を操作アームを手動操作することによって非ラッチ姿勢とし、宅配ボックスの内側から開くことができるという二重の安全構造になる。
【００１４】
【発明の実施の形態】
以下、図面を引用しながら本発明の錠前装置と、この錠前装置を備えた戸建て住宅用の宅配ボックスの実施の形態を併せて説明する。なお、宅配業者が配送物を戸建て住宅用の宅配ボックスに入れて施錠をして、その後、戸建て住宅の住人がキー操作により開錠して配送物を取り出す例で説明する。
【００１５】
本発明の戸建て住宅用の宅配ボックス１０は、図１に示すように、前面Ｆに二つの開口部Ｈ１，Ｈ２を形成したキャビネット１１と、各々開口部Ｈ１，Ｈ２に取り付ける片開きの扉板１２，１２と、キャビネットの台座としてのベース台１３とからなる。キャビネット１１、扉板１２，１２及びベース台１３は、いずれもステンレスの薄板材料を筐体を形成するように板金加工してなる。キャビネット１１は、底板１１ａと左右一対の側板１１ｂ，１１ｂと天板１１ｃと裏板１１ｄとによって形成した筐体の内部空間を水平方向の仕切り板１１ｅで仕切り、上に位置する小容量の個室Ｒ１と、その下に位置する大容量の個室Ｒ２との２室を形成したものである。したがって、個室Ｒ１の開口部Ｈ１のサイズは、個室Ｒ２の開口部Ｈ２のサイズより小さく、各開口部Ｈ１，Ｈ２に取り付けられる扉板１２，１２のサイズもこれに応じて異なっている。なお、ベース台１３は、キャビネット１１全体を適度な高さに支持するための４角の周枠構造体である。
【００１６】
各扉板１２，１２は、ヒンジ金具を介して右側の側縁部を各個室Ｒ１，Ｒ１の開口部Ｈ１，Ｈ２の右側の側板１１ｂの前縁部に揺動自在に取り付けられ、左片開きに開閉動作することができる。したがって、キャビネット１１は、固定部材であり、又、扉板１２，１２は、開閉部材である。なお、扉板１２，１２には、内部の状況を確認するための覗き窓１２ｈ，１２ｈが設けられている。なお、扉板１２，１２の開閉操作用のノブは、図上省略してある。
【００１７】
錠前装置は、図２乃至図７に示すように、固定部材に取り付ける固定側掛合機構２０と開閉部材に取り付ける開閉側掛合機構３０とからなる。錠前装置は、戸建て住宅用の宅配ボックス１０において各個室Ｒ１，Ｒ２毎に同じものがそれぞれ備えられている。各個室Ｒ１，Ｒ２において固定側掛合機構２０は、左側の側板１１ｂの前縁部寄りの内側面に配置され、又、開閉側掛合機構３０は、扉板１２，１２の開閉側の側縁部寄りの内側面に配置されている。そして、両者は、扉板１２，１２を閉じる操作によって互いに掛合し、施錠状態を実現することができ、又、両者は、開閉側掛合機構３０をキー操作することによって開錠することができるようになっている。
【００１８】
すなわち、固定側掛合機構２０は、板金ボックス構造のシャーシ２２と、シャーシ２２の外側面に取り付けられるラッチ部材２１と、シャーシ２２の内部側に取り付けられる制御アーム２３を主要部材としてなる（図２）。
【００１９】
ラッチ部材２１は、本体２１Ａと、本体２１Ａの裏面側に重ね合せて一体化されるガイド板２１Ｂとからなる。本体２１Ａは、略中央位置に軸穴ｈ１を有する板状部材であり、軸穴ｈ１の一端側には、ラッチ鈎２１ａが形成され、ラッチ鈎２１ａの手前には、治具孔ｈ２が形成されている。また、軸穴ｈ１の他端側は、目立ち易い色彩の樹脂製グリップを貼着した操作アーム２１ｂとされている。一方、ガイド板２１Ｂは、本体２１Ａの軸孔ｈ１に対応する軸孔ｈ４と治具孔ｈ３を形成した板状部材であり、その一端側には、軸孔ｈ４を中心とするアール付きの長孔相当のガイド溝ｈ５設けられ、ガイド溝ｈ５の外側の周面には、第１の制御鈎２１ｄが形成されている。ガイド板２１Ｂの他端側には、本体２１Ａと反対側に向けて突片２１ｆが突設され、突片２１ｆの先端部には、掛止孔ｈ６が設けられている。
【００２０】
本体２１Ａとガイド板２１Ｂとは、軸孔ｈ１，ｈ４と治具孔ｈ２，ｈ３を一致させた上で重ね合せて溶接付けされ、一体となってラッチ部材２１を構成している。ラッチ部材２１は、ロックナットｂ１を伴うねじ軸Ｂ１を用いてシャーシ２２の中央位置に設けられた軸孔ｈ７に揺動自在に組み付けられる。したがって、操作アーム２１ｂを手動操作すると、ねじ軸Ｂ１を中心にラッチ部材２１が揺動するが、宅配ボックス１０の前面Ｆ側のラッチ鈎２１ａを手で押さえるようにしても、ラッチ部材２１が揺動する。シャーシ２２には、中心に位置する軸孔ｈ７の他、軸孔ｈ８と斜め上下に位置する２個の丸孔Ｈ３、Ｈ４及びアールを伴う長孔Ｈ５が形成されており、シャーシ２２に組み付けられたラッチ部材２１の突片２１ｆは、長孔Ｈ５を通り抜けてシャーシ２２の内側に突出している。シャーシ２２の天板２２ｔの裏面には掛止孔ｈ１０を設けたばね受け金具２４が固定されており、ラッチ部材２１の突片２１ｆとばね受け金具２４との間に引っ張りばね２５が掛けられている（図２，図３）。引っ張りばね２５は、水平のラッチ姿勢をとっているラッチ部材２１を、斜めの非ラッチ姿勢をとる向きに付勢している。
【００２１】
制御アーム２３は、中央位置に軸孔ｈ９を有する水平アーム２３ａと、軸孔ｈ９から変位した位置から下向きに伸びる下垂アーム２３ｂと、水平アーム２３ａの一端からシャーシ２２の前方に向けて伸びる水平アーム２３ｃとを一体に曲げ加工したものである。水平アーム２３ａの他端には、ばね受け２３ｇが形成されている。下垂アーム２３ｂの先端には、第１の制御爪２３ｅが、又、水平アーム２３ｃの先端には第２の制御爪２３ｆが設けられている。この第２の制御爪２３ｆの内側端面は、円滑なアールを付けるように成形されている。
【００２２】
制御アーム２３は、シャーシ２２の軸孔ｈ８と水平アーム２３ａの軸孔ｈ９に挿通するねじ軸Ｂ２によってロックナットｂ２を用いてシャーシ２２の内部側に揺動自在に組み付けられる。このとき第２の制御爪２３ｆを備える水平アーム２３ｃは、上位置の丸孔Ｈ３を経由してラッチ部材２１の手前に伸び、一方、下垂アーム２３ｂの第１の制御爪２３ｅは、下位置の丸孔Ｈ４を経由してラッチ部材２１のガイド溝ｈ５内に進出して第１の制御鈎２１ｄと掛合した状態となっている（図２，図５）。
【００２３】
シャーシ２２の天板２２ｔの裏面には、水平アーム２３ａのばね受け２３ｇに対応してばね受け金具２６が取り付けられ、ばね受け２３ｇとばね受け金具２６との間には、圧縮ばね２７が介装されている（図２，図３）。この圧縮ばね２７は、水平アーム２３ａの一端を常時付勢することによって、制御アーム２３は、第１の制御爪２３ｅを介してラッチ部材２１が水平のラッチ姿勢を維持するように付勢している。すなわち、ラッチ部材２１を直接付勢している引っ張りばね２５と、ラッチ部材２１を制御アーム２３を介して付勢している圧縮ばね２７とは、ラッチ部材２１に対して反対向きに作用し、第１の制御爪２３ｅと第１の制御鈎２１ｄとが係合していることを条件に均衡している。このような固定側掛合機構２０は、スペーサ２８を介してキャビネット１１の側板１１ｂとの間隔を調整しながら宅配ボックス１０に取り付けられる。
【００２４】
一方、開閉側掛合機構３０は、ラッチ爪３１ａを有するキー操作機構３１と、キー操作機構３１を背面から抱持するシャーシ３２と、第２の制御鈎３３ａを有する揺動片３３を主要部材としてなる（図４）。なお、シャーシ３２の前面には、扉板１２の取付け部分を補強する補強板３６が付属する。
【００２５】
キー操作機構３１は、駆動装置を内蔵した本体３１ｂの側面部に突出するラッチ爪３１ａを備えるとともに、前面側にシリンダ３１ｃを備える。シリンダ３１ｃには、キー穴３１ｅを形成したシリンダ軸３１ｄが装填され、シリンダ軸３１ｄをキー操作することによって、ラッチ爪３１ａを所定ストロークの範囲で前進動作又は後退動作させることができる。ただし、ラッチ爪３１ａは、ばねを介して本体３１ｂに組み込まれており、常時前進方向に付勢されている。したがって、ラッチ爪３１ａは、本体３１ｂから突出している場合にも、作動方向に外力を受けることによって後退動作する仕組みになっている。本体３１ｂの四隅には、取付け孔ｈ１１が設けられ、シリンダ３１ｃ前面には、旋回操作によって開閉できる盲板３１ｆが付属する。
【００２６】
シャーシ３２は、段付きに曲げ加工され、上下には扉板１２に対する取付け用のフランジ３２ｆ，３２ｆが形成されている。シャーシ３２の面板部３２ａには、キー操作機構３１の本体３１ｂの取付け孔ｈ１１に対応するねじ孔ｈ１２が形成され、その天板３２ｔ寄りには、角孔Ｈ６が明けられている。天板３２ｔの一端側には、軸孔ｈ１３が設けられている。キー操作機構３１は、補強板３６とシャーシ３２との間に挟み込んだ状態で扉板１２に固定される。したがって、補強板３６には、シリンダ３１ｃを挿通させる丸孔Ｈ７が形成され、又、丸孔Ｈ７の上側には、ばね受け金具３４が固定されている。
【００２７】
揺動片３３には、第２の制御鈎３３ａの他、軸孔ｈ１４を有するアーム３３ｂとばね受け３３ｃとが形成されている。揺動片３３は、第２の制御鈎３３ａをラッチ爪３１ａと同方向に向け、ばね受け３３ｃと補強板３６のばね受け金具３４との間に圧縮ばね３５を介装した状態で、ねじ軸Ｂ３によって角孔Ｈ６を通して天板３２ｔの裏面に水平方向に揺動自在に組み付けられる（図５）。
【００２８】
それぞれ、キャビネット１１の側板１１ｂと扉板１２に取り付けられた固定側掛合機構２０と開閉側掛合機構３０とは、扉板１２を閉じる操作によって施錠状態とするとともに、開閉側掛合機構３０に対するキー操作によって、又は、宅配ボックス１０の内部においてラッチ部材２１を手動操作することによって開錠状態とすることができる（図５，図６，図７）。宅配業者が配送物を戸建て住宅用の宅配ボックス１０に入れるためには、開錠状態となっているので、その配送物の大きさに見合う個室Ｒ１を選択し、図５に示す開閉操作用のノブＤ１を摘んで扉板１２を開放して配送物を入れる。
【００２９】
そして、宅配業者が施錠するときは、開閉操作用のノブＤ１をキャビネット１１側に押すと、扉板１２が揺動し、固定側掛合機構２０と開閉側掛合機構３０とが接近し、扉板１２を閉じ切る直前にラッチ爪３１ａがラッチ鈎２１ａに衝突すると同時に第２の制御爪２３ｆと揺動片３３の第２の制御鈎３３ａとが衝突する（図５）。そこで、前進方向に付勢されていたラッチ爪３１ａは、ラッチ鈎２１ａに押されて一時的に後退動作し、ラッチ鈎２１ａを通過した後、すなわち、扉板１２が閉じ切った時点で前進位置に復帰するように動作する。一方、揺動片３３は、第２の制御爪２３ｆに押されて水平方向に揺動し、圧縮ばね３５を圧縮する。したがって、第２の制御鈎３３ａは、第２の制御爪２３ｆを通過した後、すなわち、扉板１２が閉じ切った時点でもとの位置に復帰するように動作する（図５，図６）。この結果、扉板１２が閉じ切ると同時にラッチ爪３１ａとラッチ鈎２１ａとが、又、第２の制御爪２３ｆと第２の制御鈎３３ａとの掛合動作が完了し、施錠状態が実現される（図３，図６）。この施錠状態におけて、制御アーム２３の第１の制御爪２３ｅは、ラッチ部材２１のガイド板２１Ｂのガイド溝ｈ５内において第１の制御鈎２１ｄと掛合している（図３）。また、開閉側掛合機構３０の第２の制御鈎３３ａは、第２の制御爪２３ｆの内側に位置し、ラッチ爪３１ａは、ラッチ鈎２１ａの内側に位置している。なお、このような使用例は、扉板１２の裏面に点着される使用説明書（図示せず）に従って配送業者は操作する。
【００３０】
次いで、戸建て住宅の住人が配送物を取り出すためには、宅配ボックスの開閉側掛合機構３０のキー操作機構を鍵Ｋ１によって操作し、ラッチ爪３１ａを後退動作させた上、ノブＤ１を引いて扉板１２を開くことによって、開錠状態を実現することができる。ラッチ爪３１ａは、キー操作機構３１の盲板３１Ｆを旋回させてキー穴３１ｅに鍵Ｋ１を差し込んでシリンダ軸３１ｄを回転駆動することによって後退動作させることができる（図４，図６）。ラッチ爪３１ａを後退動作させると、ラッチ爪３１ａとラッチ鈎２１ａの掛合が外れ、扉板１２を開くことができる状態となる。ここで、ノブＤ１を引くと、扉板１２につれて開閉側掛合機構３０が固定側掛合機構２０から離れる。このとき、第２の制御鈎３３ａは、掛合していた第２の制御爪２３ｆのアールの部分に摺接し、矢印Ｋ１方向（図３）に移動しながら第２の制御爪２３ｆを押し下げる。
【００３１】
第２の制御爪２３ｆが押し下げられると、制御アーム２３は、圧縮ばね２７を圧縮しながらねじ軸Ｂ２を中心に揺動し、第１の制御爪２３ｅは、矢印Ｋ２方向（図３）に変位する。第１の制御爪２３ｅの変位によって、第１の制御爪２３ｅと第１の制御鈎２１ｄとの掛合が外れ、この結果、引っ張りばね２５に付勢されてラッチ部材２１全体がねじ軸Ｂ１を中心に揺動し、斜めの非ラッチ姿勢をとる（図７）。そして、ラッチ部材２１が非ラッチ姿勢をとることによって、ラッチ爪２１ａとラッチ鈎３１ａの水平位置が異なることとなるので、再び扉板１２を閉じても施錠状態が実現されることはない。なお、ラッチ部材２１の操作アーム２１ｂを押し下げると、第１の制御爪２３ｅと第１の制御鈎２１ｄとが掛合し、ラッチ部材２１は、水平のラッチ姿勢に復帰するので（図３）、この後、扉板１２を閉じることによって再び施錠状態を実現することができる。
【００３２】
錠前装置は、宅配ボックス１０の内側から鍵Ｋ１を用いることなく開錠状態とすることができる。宅配ボックス１０内において、ラッチ部材２１の操作アーム２１ｂを上に引くとラッチ部材２１は、第１の制御鈎２１ｄを介して第１の制御爪２３ｅを押し下げる。この際、第１の制御爪２３ｅは、制御アーム２３の揺動の中心であるねじ軸Ｂ２の位置から変位しているので、第１の制御爪２３ｅが押し下げられると制御アーム２３が揺動し、第１の制御爪２３ｅは、矢印Ｋ２方向に変位する。すると、第１の制御爪２３ｅと第１の制御鈎２１ｄとの掛合が外れ、ラッチ部材２１は、斜めの非ラッチ姿勢となる。この結果、ラッチ爪２１ａとラッチ鈎３１ａの掛合が外れ、扉板１２を開くことができる。すなわち、ラッチ部材２１が制御アーム２３に連動するばかりでなく、制御アーム２３がラッチ部材２１に連動することもできるのである。
【００３３】
以上、錠前装置を戸建て住宅用の宅配ボックス１０に取り付ける実施の形態について説明したが、錠前装置は、個室Ｒ１，Ｒ２の利用者が特定している集合住宅用の宅配ボックスや一般のロッカ等についても、取付け容量が小さく廉価で安全である等の特質を減殺することなく広く利用することができる。また、戸建て住宅用の宅配ボックス１０のサイズや個室Ｒ１…の数は、需要に応じて設定することができる。例えば、個室Ｒ１の１室を新聞受けや郵便受けとして利用することもできる。
【００３４】
【発明の効果】
本発明の錠前装置は、施錠状態を実現するラッチ部材に加え、ラッチ部材の姿勢を施錠可能なラッチ姿勢に拘束し、又は、施錠不能な非ラッチ姿勢に開放するための制御アームを備え、開閉部材が開かれたときには、制御アームを介してラッチ部材を自動的に非ラッチ姿勢とすることができるので、不用意な閉じ込め事故等を有効に防止することができる他、施錠状態と開錠状態とが機械機構のみによって実現されるので、価格及び取付け状態の占有容量を小さく抑えることが可能である。したがって、従来の電子錠に代えて戸建て住宅用の宅配ボックス等に使用可能である。
【００３５】
また、本発明の戸建て住宅用の宅配ボックスは、錠前装置の占有容量が小さいので、内部容量を荷物の収納スペースとして有効に活用することができるとともに、一旦扉板を開くと再度扉板を閉じても施錠されないので子供の閉じ込め事故等を未然に防止することができ、又、ラッチ部材が操作アームを備えるものである場合には、施錠後においては、ラッチ部材を手動操作によって非ラッチ姿勢とすることができるので、万一子供が内部に閉じ込められキーが紛失したようた場合においも、自力又は外部からの適切な指示によって簡単に脱出することが可能である。
【００３６】
【図面の簡単な説明】
【図１】本発明の宅配ボックスと錠前装置の実施の形態を示す斜視図である。
【図２】本発明の錠前装置の固定側掛合機構の実施の形態を示す分解斜視図である。
【図３】本発明の錠前装置の固定側掛合機構の実施の形態を示す要部の側面図である。
【図４】本発明の錠前装置の開閉側掛合機構の実施の形態を示す分解斜視図である。
【図５】本発明の宅配ボックスと錠前装置の実施の形態を示す断面図である。
【図６】本発明の宅配ボックスと錠前装置の実施の形態を示す断面図である。
【図７】本発明の錠前装置の固定側掛合機構の実施の形態における動作説明図である。
【符号の説明】
Ｆ          前面
Ｈ１，Ｈ２  開口部
１０        宅配ボックス
１１        キャビネット
１２        扉板
２０        固定側掛合機構
２１        ラッチ部材
２１ａ      ラッチ鈎
２１ｂ      操作アーム
２１ｄ      第１の制御鈎
２３        制御アーム
２３ｅ      第１の制御爪
２３ｆ      第２の制御爪
３０        開閉側掛合機構
３１ａ      ラッチ爪
３３ａ      第２の制御鈎
【図１】
0004547101.tif 000002
【図２】
0004547101.tif 000003
【図３】
0004547101.tif 000004
【図４】
0004547101.tif 000005
【図５】
0004547101.tif 000006
【図６】
0004547101.tif 000007
【図７】
0004547101.tif 000008